(57)【要約】      （修正有）【課題】使用上の便利性に優れ、かつ、高い結合安定性を有するリサイクル可能なフック構造を提供する。【解決手段】フック構造は、結合片モジュールとフック本体により構成され、結合片モジュールは弾力平面吸着片体と図案表示片体により構成され、弾力平面吸着片体は弾力樹脂構造により構成される。また、フック本体には結合面とフック部が設けられ、結合片モジュールの弾力平面吸着片体の一方側は図案表示片体と結合し、フック本体の結合面は図案表示片体の他方側と結合する。【選択図】図１
0003159907.tif 000002
【実用新案登録請求の範囲】
【請求項１】
弾力平面吸着片体と図案表示片体を備え、前記弾力平面吸着片体の一方側は図案表示片体と結合する結合片モジュールと、
結合面とフック部を設け、前記結合面は結合片モジュールの図案表示片体の一方側と結合するフック本体と、により構成されることを特徴とするリサイクル可能なフック構造。
【請求項２】
前記弾力平面吸着片体は弾力樹脂構造により構成されることを特徴とする請求項１記載のリサイクル可能なフック構造。
【請求項３】
前記図案表示片体はポリ塩化ビニル（ｐｖｃ）印刷板構造により構成されることを特徴とする請求項１記載のリサイクル可能なフック構造。
【考案の詳細な説明】
【技術分野】
【０００１】
本考案はリサイクル可能なフック構造に関し、特にフック構造の所属する技術領域に応用するものである。
【背景技術】
【０００２】
現在公知のフック構造は図５に示す通りであり、吸着フック４０は吸着部４１とフック部４２を備え、前記フック部４２を引っ張ることにより、吸着部４１を内側に動かし、吸着部４１と壁の間に吸引力を産生させて吸着フック４０と壁を吸着結合させる。他の公知のフックとして、フック部４２の後方にシール（未図示）を設け、シールによってフック部４２を壁に固着させるものもあるが、このようなフックには下記問題点が存在する：
（１）使用上不便利である：フック部を引っ張ることにより吸着部と壁の間に吸引力が発生して吸着フックと壁を吸着結合するのであるが、その吸着力は長時間使用で徐々に消失しつつあり、また、吸着フックの背面に設けられたシールと壁を粘着固定するが、壁に湿気がある場合は粘着力を失い、使用上不便利である。
（２）結合安定性が低い：吸着部と壁の吸引力は、長時間使用により徐々に消失しつつあり、吸着部は吸着効果を失い、引き掛けた物の落下を引き起こし、結合安定性が低くなる。
【考案の概要】
【考案が解決しようとする課題】
【０００３】
本考案は前述の問題点に鑑み、公知のフックの使用便利性及び結合安定性の問題を改善すべく、本考案のリサイクル可能なフックを作り出した。
【課題を解決するための手段】
【０００４】
本考案のリサイクル可能なフック構造は、結合片モジュールとフック本体により構成され、前記結合片モジュールは弾力平面吸着片体と図案表示片体により構成され、前記弾力平面吸着片体は弾力樹脂構造により構成される。また、フック本体には結合面とフック部が設けられ、前記結合片モジュールの弾力平面吸着片体の一方側は図案表示片体と結合し、フック本体の結合面は図案表示片体の他方側と結合する。結合片モジュールの弾力平面吸着片体における弾力樹脂構造が平面に貼合する際に発生する表面張力により、弾力平面吸着片体の自由面と平面が滑らかな壁との間に安定的な吸着力が産生し、壁の湿気による水分や水蒸気は吸着する弾力平面吸着片体や壁間に侵入してその吸着効果を消失させることが発生し難くなり、しかも弾力平面吸着片体と壁の間の吸引力を取り除く場合は、結合片モジュールを壁から外すことが可能で、更に他の平面が滑らかな壁での繰り返し使用ができるため、使用便利性と結合安定性の効果を発揮する。
【考案の効果】
【０００５】
本考案のリサイクル可能なフック構造は、使用便利性と結合安定性の効果を発揮するものである。
【図面の簡単な説明】
【０００６】
【図１】本考案のフック構造に関する立体図である。
【図２】本考案の実施例に関する分解図である。
【図３】本考案の実施例に関する使用状態の側面図である。
【図４】本考案のもう一つの実施例に関する立体図である。
【図５】公知のフック構造に関する立体図である。
【考案を実施するための形態】
【０００７】
貴審査委員の方々に本考案の構造、特徴、及びその他の目的を更に理解して戴くために、次に、添付した図面、及び実施例により詳しく説明する。但し、本考案において開示する実施例は説明を目的としたものであり、これを唯一として実用新案の権利範囲を制限するものではない。
【０００８】
図１及び図２は、本考案のリサイクル可能なフック構造の立体構造を示す立体図及び分解図であり、それは、結合片モジュール１０とフック本体２０を備える。
【０００９】
前記結合片モジュール１０は、弾力平面吸着片体１１と図案表示片体１２を備え、前記弾力平面吸着片体１１は弾力樹脂構造により構成され、前記図案表示片体１２はポリ塩化ビニル（ｐｖｃ）印刷板構造により構成され、且つ弾力平面吸着片体１１の一方側は図案表示片体１２の一方側と結合する。
【００１０】
前記フック本体２０には結合面２１とフック部２２が設けられ、前記結合面２１は結合片モジュール１０の図案表示片体１２の一方側と結合する。
【００１１】
前記構造の組み合わせにより本考案のリサイクル可能なフックが完成できる。
【００１２】
図３は、本考案のリサイクル可能なフック構造の使用状態を示す側面図である。前記結合片モジュール１０の弾力平面吸着片体１１の一方側は図案表示片体１２と結合し、フック本体２０の結合面２１は図案表示片体１２の他方側と結合する。結合片モジュール１０の弾力平面吸着片体１１が平面に貼合される際に発生する表面張力により、弾力平面吸着片体１１の自由面と平面が滑らかな壁３０との間に安定的な吸着力が産生し、壁の湿気による水分や水蒸気は吸着する弾力平面吸着片体１１や壁３０の間に侵入して吸着効果を消失させることが発生し難くなり、しかも弾力平面吸着片体１１と壁３０との吸引力を取り除く場合は、結合片モジュール１０を壁３０から外し、更に他の平面が滑らかな壁３０に繰り返して使用することができるため、使用便利性と結合安定性に良好な効果を発揮する。
【００１３】
図４は、本考案のリサイクル可能なフック構造のもう一つの実施例を示す。その全体構造は本考案の図１乃至図３と同様であるが、結合片モジュール１０の弾力平面吸着片体１１と図案表示片体１２が異なる形の外観構造を有することが可能であり、本考案の他の実用性を持たす。
【００１４】
本考案の特徴は次の通りである。
（１）使用上便利性に優れている：結合片モジュールの弾力平面吸着片体と壁との吸引力を取り除く場合は、結合片モジュールを壁から外すことが可能で、並びに、他の平面が滑らかな壁に繰り返して使用することができるため、使用上便利性に優れている。
（２）結合安定性が高い：結合片モジュールの弾力平面吸着片体における弾力樹脂構造が平面に貼合される際に発生する表面張力により、弾力平面吸着片体の自由面と平面が滑らかな壁の間に安定的な吸着力が産生し、壁の湿気による水分や水蒸気が吸着する弾力平面吸着片体と壁の間に侵入してその吸着効果を消失することが発生し難くなり、従って、結合安定性が高くなる。
【００１５】
前述の通り、本考案は確実に前述した効果や目的を達成し、実用新案の出願要件に符合するものとして実用新案法に基づき出願する。
【符号の説明】
【００１６】
１０ 結合片モジュール
１１ 弾力平面吸着片体
１２ 図案表示片体
２０ フック本体
２１ 結合面
２２ フック部
３０ 壁
４０ 吸着フック
４１ 吸着部
４２ フック部
【図１】
0003159907.tif 000003
【図２】
0003159907.tif 000004
【図３】
0003159907.tif 000005
【図４】
0003159907.tif 000006
【図５】
0003159907.tif 000007